(57)【要約】      （修正有）【課題】印刷モードの指定が容易であり、かつ、表示装置の表示とその表示の印刷結果との色の違いを低減できる印刷システムを提供する。【解決手段】印刷システム５０は、電子黒板装置１００と印刷装置２００とを含む。電子黒板装置１００は、印刷装置２００で設定可能な印刷モードに関する情報を取得すると、取得した情報に基づいて、設定可能な印刷モードを表示画面１０２に表示する。電子黒板装置１００は、表示した印刷モードをユーザに選択させ、選択された印刷モードにおいて印刷可能な色を表示画面１０２の表示に使用するよう設定する。電子黒板装置１００は、選択された印刷モードで表示画面１０２に表示された画像を印刷するよう印刷装置２００に対して印刷要求を送信する。印刷装置２００は、電子黒板装置１００から送信された印刷要求を受信すると、印刷要求に基づいて印刷処理を実行する。【選択図】図１
2015029175.tif 000002
【特許請求の範囲】
【請求項１】
表示装置と、前記表示装置に接続され、当該表示装置に表示されている画像を印刷する印刷装置とを含む印刷システムであって、
前記表示装置は、
画像を表示するための表示手段と、
前記印刷装置で設定可能な印刷モードに関する情報を取得するための情報取得手段と、
前記情報取得手段が取得した情報に基づいて、前記印刷装置で設定可能な印刷モードを前記表示手段に表示するための手段と、
前記表示手段に表示された印刷モードをユーザに選択させるための手段と、
選択された印刷モードにおいて印刷可能な色を前記表示手段の表示に使用するよう設定するための設定手段と、
選択された印刷モードで前記表示手段に表示された画像を印刷するよう前記印刷装置に対して印刷要求を送信するための送信手段とを含み、
前記印刷装置は、前記表示装置から送信された前記印刷要求を受信したことに応答して、前記表示装置において選択された印刷モードで印刷処理を実行するための手段を含む、印刷システム。
【請求項２】
前記表示装置は、タッチ操作を受付けて、前記表示手段に手書き画像を表示するための表示操作手段をさらに含み、
前記設定手段は、
選択された印刷モードに応じて、前記手書き画像の表示に使用する色を当該印刷モードで印刷可能な色に制限するための手段と、
制限された色の中からユーザによって選択された色を前記手書き画像の色として使用するよう設定するための手段とを含む、請求項１に記載の印刷システム。
【請求項３】
前記表示装置はさらに、
選択された印刷モードにおいて印刷可能な色以外の色を前記表示手段の表示に使用する色として選択するユーザの操作を受付けるための手段と、
前記ユーザの操作を受付けたことに応答して、選択された印刷モードでは表示の色と同じ印刷結果が得られないことをユーザに警告するための手段とを含み、
前記選択させるための手段は、前記ユーザの操作を受付けた場合に、印刷モードを変更するか否かをユーザに対して問合わせることにより、再度、印刷モードをユーザに選択させる、請求項１又は請求項２に記載の印刷システム。
【請求項４】
前記表示装置はさらに、設定可能な印刷モードに関する情報の取得要求を前記印刷装置に対して送信するための手段を含み、
前記印刷装置はさらに、前記表示装置からの前記取得要求を受信したことに応答して、自機において設定可能な印刷モードに関する情報を前記表示装置に送信するための手段を含み、
前記情報取得手段は、前記印刷装置から送信された前記情報を受信することにより、前記印刷装置で設定可能な印刷モードに関する情報を取得する、請求項１〜請求項３のいずれかに記載の印刷システム。
【請求項５】
前記印刷装置は、
複数色のトナーを用いて画像を形成するための画像形成手段と、
前記トナーの残量が所定の値以下であるか否かを検出するための検出手段とをさらに含み、
前記印刷モードに関する情報は、設定可能な印刷モードと、前記検出手段の検出結果とを含み、
前記表示装置は、前記印刷モードに関する情報を受信したことに応答して、前記検出手段の検出結果を前記表示手段の表示に使用する色に反映させる、請求項４に記載の印刷システム。
【請求項６】
印刷装置と接続される表示装置であって、
画像を表示するための表示手段と、
前記印刷装置で設定可能な印刷モードに関する情報を取得するための情報取得手段と、
前記情報取得手段が取得した情報に基づいて、前記印刷装置で設定可能な印刷モードを前記表示手段に表示するための手段と、
前記表示手段に表示された印刷モードをユーザに選択させるための手段と、
選択された印刷モードにおいて印刷可能な色を前記表示手段の表示に使用するよう設定するための設定手段と、
選択された印刷モードで前記表示手段に表示された画像を印刷するよう前記印刷装置に対して印刷要求を送信するための手段とを含む、表示装置。
【発明の詳細な説明】
【技術分野】
【０００１】
本発明は、印刷システム及びその印刷システムを構成する表示装置に関し、特に、表示装置に表示された画像を印刷する印刷システムに関する。
【背景技術】
【０００２】
従来、タッチパネルを用いてユーザからの指示入力（タッチ）を受付ける表示装置が知られている。そうした表示装置の１つとして、近年、電子黒板が普及しつつある。電子黒板は例えば会議等で用いられる。特によく利用されている電子黒板は、大型の表示画面を有する表示パネルと、２次元における位置座標を検知するタッチパネルとを組合わせたコンピュータシステムを含む。
【０００３】
一般的に、電子黒板は、表示画面上においてペン等によって指定される位置座標を逐次読取り、読取った情報を元に入力の軌跡を表示パネルに表示する。これによって、電子黒板は、手書き入力等、黒板としての機能を実現している。
【０００４】
後掲の特許文献１は、専用ペンを用いずに画面への書込みを行なうことが可能な電子黒板を開示する。この電子黒板は、指又はスタイラス等の部材で画面上をなぞった位置を時系列に記録する位置検出装置と、位置検出装置によって検出された位置を再現（表示）する表示装置とを含む。特許文献１の電子黒板では、画面にカラーパレットが表示される。カラーパレットに表示する色は自由に設定できる。このカラーパレットにて色を選択すると、選択した色が、画面に書込む手書き画像の色として設定される。
【０００５】
こうした電子黒板において、表示された画像を印刷するために、当該電子黒板に印刷装置を接続して用いる場合がある。特許文献１の電子黒板のように、手書き画像の表示色を所望の色に設定可能な電子黒板の場合、接続される印刷装置は、カラー印刷が可能な印刷装置であるのが好ましい。
【０００６】
後掲の特許文献２は、フルカラー印刷が可能な電子写真方式の画像形成装置（印刷装置）を開示する。特許文献２の印刷装置は、各色トナーの残量を検知して、その検知結果に基づいて、使用可能なトナーの色、及び使用可能なトナーを組合わせることによって得られる色を、当該印刷装置の表示部に表示する。特許文献２の印刷装置を用いることによって、印刷可能な色が容易に確認できる。
【先行技術文献】
【特許文献】
【０００７】
【特許文献１】特開２００５−３３５１５６号公報
【特許文献２】特開平５−８０６２８号公報
【発明の概要】
【発明が解決しようとする課題】
【０００８】
電子黒板上で使用する色は予め決められた色であることが多い。そのため、電子黒板に記載した内容を印刷する場合にフルカラー印刷が必要でないケースがある。例えば黒文字に対して赤線を引いただけのイメージを印刷する場合は、フルカラー印刷である必要はない。
【０００９】
また複合機のような印刷装置には、例えば２色印刷（２色プリント）又は選択色印刷（選択色プリント）といった、特定色のみを使用して印刷を行なう機能（以下「特定色印刷機能」と記載する場合がある。）を利用することが可能な機種もある。このような機能を利用すれば、フルカラー印刷に比べて、トナー消費量を減らすることが可能である。さらに、２色印刷及び選択色印刷のような特定色印刷時に、フルカラー印刷よりもカウンタ料金（課金料金）を減額するような料金体系であれば、このような機能を利用することによって印刷コストが低減する。
【００１０】
しかし、特定色印刷機能を利用するためには、そうした機能を利用するモードに印刷モードを設定（指定）する必要がある。印刷モードの設定は、ユーザにとって煩わしい作業である。なお、特定色印刷のための印刷モードに設定しなければ、通常はフルカラーで印刷され、フルカラー印刷時のカウンタ料金で印刷枚数がカウントされる。こうした問題は、特許文献１及び特許文献２に開示の技術では解決できない。
【００１１】
さらに、特定色印刷のための印刷モードに変更した場合でも、任意の特定色で２色印刷又は選択色印刷を行なった場合、印刷物の色が電子黒板に表示されている色と大きく異なってしまうおそれがある。こうした問題も、特許文献１及び特許文献２に開示の技術では解決できない。
【００１２】
本発明は、上記のような課題を解決するためになされたものであり、本発明の１つの目的は、印刷モードの指定が容易であり、かつ、表示装置の表示とその表示の印刷結果との色の違いを低減できる印刷システム、及び表示装置を提供することである。
【課題を解決するための手段】
【００１３】
上記目的を達成するために、本発明の第１の局面に係る印刷システムは、表示装置と、表示装置に接続され、当該表示装置に表示されている画像を印刷する印刷装置とを含む印刷システムである。この印刷システムにおいて、表示装置は、画像を表示するための表示手段と、印刷装置で設定可能な印刷モードに関する情報を取得するための情報取得手段と、情報取得手段が取得した情報に基づいて、印刷装置で設定可能な印刷モードを表示手段に表示するための手段と、表示手段に表示された印刷モードをユーザに選択させるための手段と、選択された印刷モードにおいて印刷可能な色を表示手段の表示に使用するよう設定するための設定手段と、選択された印刷モードで表示手段に表示された画像を印刷するよう印刷装置に対して印刷要求を送信するための送信手段とを含む。印刷装置は、表示装置から送信された印刷要求を受信したことに応答して、表示装置において選択された印刷モードで印刷処理を実行するための手段を含む。
【００１４】
表示装置は、印刷装置で設定可能な印刷モードに関する情報を取得すると、取得した情報に基づいて、印刷装置で設定可能な印刷モードを表示手段に表示する。表示装置はさらに、表示手段に表示された印刷モードをユーザに選択させる。ユーザは、印刷モードを容易に指定（選択）できる。印刷モードが選択されると、表示装置は、選択された印刷モードにおいて印刷可能な色を表示手段の表示に使用するよう設定する。表示手段には、ユーザが指定した印刷モードにおいて印刷可能な色で画像が表示されるため、表示装置に表示されている画像を印刷した場合に、表示装置の表示と印刷結果（印刷物）との色の違いを最小限に抑えることができる。
【００１５】
好ましくは、表示装置は、タッチ操作を受付けて、表示手段に手書き画像を表示するための表示操作手段をさらに含み、設定手段は、選択された印刷モードに応じて、手書き画像の表示に使用する色を当該印刷モードで印刷可能な色に制限するための手段と、制限された色の中からユーザによって選択された色を手書き画像の色として使用するよう設定するための手段とを含む。
【００１６】
より好ましくは、表示装置はさらに、選択された印刷モードにおいて印刷可能な色以外の色を表示手段の表示に使用する色として選択するユーザの操作を受付けるための手段と、ユーザの操作を受付けたことに応答して、選択された印刷モードでは表示の色と同じ印刷結果が得られないことをユーザに警告するための手段とを含み、選択させるための手段は、ユーザの操作を受付けた場合に、印刷モードを変更するか否かをユーザに対して問合わせることにより、再度、印刷モードをユーザに選択させる。
【００１７】
さらに好ましくは、表示装置はさらに、設定可能な印刷モードに関する情報の取得要求を印刷装置に対して送信するための手段を含み、印刷装置はさらに、表示装置からの取得要求を受信したことに応答して、自機において設定可能な印刷モードに関する情報を表示装置に送信するための手段を含み、情報取得手段は、印刷装置から送信された情報を受信することにより、印刷装置で設定可能な印刷モードに関する情報を取得する。
【００１８】
さらに好ましくは、印刷装置は、複数色のトナーを用いて画像を形成するための画像形成手段と、トナーの残量が所定の値以下であるか否かを検出するための検出手段とをさらに含み、印刷モードに関する情報は、設定可能な印刷モードと、検出手段の検出結果とを含み、表示装置は、印刷モードに関する情報を受信したことに応答して、検出手段の検出結果を表示手段の表示に使用する色に反映させる。
【００１９】
本発明の第２の局面に係る表示装置は、印刷装置と接続される表示装置である。この表示装置は、画像を表示するための表示手段と、印刷装置で設定可能な印刷モードに関する情報を取得するための情報取得手段と、情報取得手段が取得した情報に基づいて、印刷装置で設定可能な印刷モードを表示手段に表示するための手段と、表示手段に表示された印刷モードをユーザに選択させるための手段と、選択された印刷モードにおいて印刷可能な色を表示手段の表示に使用するよう設定するための設定手段と、選択された印刷モードで表示手段に表示された画像を印刷するよう印刷装置に対して印刷要求を送信するための手段とを含む。
【発明の効果】
【００２０】
以上より、本発明によれば、印刷モードの指定が容易であり、かつ、表示装置の表示とその表示の印刷結果との色の違いを低減できる印刷システム、及び表示装置を容易に得ることができる。
【図面の簡単な説明】
【００２１】
【図１】本発明の第１の実施の形態に係る印刷システムの全体構成を示す図である。
【図２】図１に示す印刷システムのハードウェア構成を示す制御ブロック図である。
【図３】図１に示す印刷装置で実行されるプログラムの制御構造を示すフローチャートである。
【図４】図１に示す電子黒板装置で実行されるプログラムの制御構造を示すフローチャートである。
【図５】電子黒板装置の表示画面の表示例（選択色印刷モードが選択された例）を示す図である。
【図６】電子黒板装置の表示画面の表示例（２色印刷モードが選択された例）を示す図である。
【図７】電子黒板装置の表示画面の表示例（２色印刷モードが選択された例）を示す図である。
【図８】従来の印刷システム（電子黒板装置）を示す図（従来の印刷システムの問題点を説明するための図）である。
【発明を実施するための形態】
【００２２】
以下の実施の形態では、同一の部品には同一の参照番号を付してある。それらの機能及び名称も同一である。したがって、それらについての詳細な説明は繰返さない。
【００２３】
（第１の実施の形態）
［全体システム構成］
図１を参照して、本実施の形態に係る印刷システム５０の全体構成について説明する。本印刷システム５０は、表示装置の１種である電子黒板装置１００と、印刷装置２００とを含む。電子黒板装置１００及び印刷装置２００は、ＬＡＮ（Ｌｏｃａｌ  Ａｒｅａ  Ｎｅｔｗｏｒｋ）回線等からなるネットワーク６０を介して互いに接続され、画像データを含む各種データを相互に送受できる。印刷装置２００は、電子黒板装置１００の表示内容を印刷する。
【００２４】
電子黒板装置１００は、大型の液晶ディスプレイを用いた表示入力装置である。この電子黒板装置１００は、大型の表示画面１０２を有するタッチパネルディスプレイ１１０を含む。電子黒板装置１００はまた、種々のアプリケーションソフトを起動することによって、起動したアプリケーションソフトに対応する機能を実現する。アプリケーションソフトは、電子黒板装置１００の主要な機能である、ペン（図示せず。）等による描画（手書き入力）を実現するペンソフトを含む。
【００２５】
ペンソフトは、電子黒板機能を実現するためのアプリケーションソフトである。このペンソフトが起動されると、電子黒板装置１００は、タッチパネルディスプレイ１１０に背景が白地の画面を表示し、ユーザによるタッチパネルディスプレイ１１０への入力（タッチ）を受付ける。ユーザはペン等を用いてタッチパネルディスプレイ１１０にタッチすることによりタッチパネルディスプレイ１１０上の任意の位置を指定できる。ユーザはさらに、タッチパネルディスプレイ１１０に表示された画面内にペン等をタッチさせたままドラッグすることにより、描画を行なうことができる。
【００２６】
電子黒板装置１００には、画像データの印刷ジョブを実現するためのプリンタドライバプログラム（以下単に「プリンタドライバ」と記す。）がインストールされている。電子黒板装置１００は、上記アプリケーションソフトを使用するユーザの指示に応じて、文字及び図形等を含む画像を出力するための画像データを作成し、作成した画像データをプリンタドライバによってプリンタ記述言語に変換して、印刷装置２００に対して送信できる。
【００２７】
印刷装置２００は、フルカラー印刷が可能なカラー印刷装置である。この印刷装置２００は、レーザ光を露光に利用する、所謂レーザ方式（電子写真方式）の印刷機能を備える。印刷装置２００はさらに、モノクロ印刷及びフルカラー印刷を行なう機能に加えて、２色印刷及び選択色印刷といった、特定色のみを使用して印刷を行なう特定色印刷機能を有している。２色印刷は、特定の２色のトナー（現像剤）を用いて画像形成（印刷）を行なう印刷方式である。特定の２色は、黒（Ｋ）、及びユーザによって選択された任意の１色（Ｒ（赤）、Ｇ（緑）、Ｂ（青）、Ｃ（シアン）、Ｍ（マゼンタ）及びＹ（イエロー）の内の１色））である。選択色印刷は、Ｃ（シアン）、Ｍ（マゼンタ）、Ｙ（イエロー）及びＫ（黒）からユーザによって選択された１〜３色のトナーを用いて画像形成（印刷）を行なう印刷方式である。なお、本実施の形態では、２色印刷又は選択色印刷時に、フルカラー印刷よりもカウンタ料金（課金料金）を減額するような料金体系になっているものとする。
【００２８】
図５を参照して、本実施の形態に係る電子黒板装置１００は、印刷要求を送信する印刷装置２００で設定可能な印刷モード（印刷設定）に関する情報を取得し、取得した情報に基づいて、その印刷モードを表示画面１０２に表示する。本実施の形態では、印刷装置２００の印刷モードは、モノクロ印刷を行なうモノクロ印刷モード、フルカラー印刷を行なうフルカラー印刷モード、２色印刷を行なう２色印刷モード、及び選択色印刷を行なう選択色印刷モードを含む。ユーザは、表示された印刷モードを選択することによって、モノクロ印刷、フルカラー印刷、２色印刷、又は選択色印刷の機能を利用可能に設定できる。印刷モードが選択されると、電子黒板装置１００は、表示画面１０２上で使用する色を、選択された印刷モードで印刷可能な色に制限する。
【００２９】
［ハードウェア構成］
《電子黒板装置１００》
図２を参照して、電子黒板装置１００は、ＵＩ制御部１２０、印刷制御部１３０、メモリ管理部１４０及びＩ／Ｏ部１５０を含む。電子黒板装置１００はさらに、大画面のタッチパネルディスプレイ１１０を含む。
【００３０】
ＵＩ制御部１２０は、タッチパネルディスプレイ１１０への表示及び操作（タッチ操作等）を制御する。ＵＩ制御部１２０は、実質的にコンピュータからなり、所定のプログラムを実行することにより、電子黒板装置１００の全体の制御を実現するための中央演算処理装置（ＣＰＵ）、電子黒板装置１００の電源が投入されたときにＣＰＵが読出すプログラムを記憶する読出専用メモリ（ＲＯＭ）、及びＣＰＵが作業用メモリとして使用するランダム・アクセス・メモリ（ＲＡＭ）を含む。ＲＯＭは、電子黒板装置１００の電源投入時にＣＰＵが実行し、電子黒板装置１００が所定の動作をするように電子黒板装置１００の全体を設定するためのプログラム及びデータを記憶している。電子黒板装置１００の動作を実現するためのプログラムもＲＯＭに記憶されている。
【００３１】
印刷制御部１３０は、ＣＰＵの制御の下で、印刷データの生成及び印刷装置の管理等を行なう。メモリ管理部１４０は、通電が遮断された場合にもデータを保持する不揮発性記憶装置であり、例えば、ハードディスクドライブ又はフラッシュメモリ等である。メモリ管理部１４０は、ＣＰＵが実行するプログラムの一部を記憶することもできる。ＣＰＵは、通常動作時にはＲＯＭ又はメモリ管理部１４０からプログラムをＲＡＭ上にロードし、図示しないプログラムカウンタにより指定されるアドレスから命令を順次読出して実行する。ＣＰＵは、ＲＯＭ及びメモリ管理部１４０に格納されているプログラムにしたがって電子黒板装置１００を構成する各部の制御を行なう。メモリ管理部１４０は、印刷装置２００に対し、印刷ジョブを実行させるためのプリンタドライバを記憶する。電子黒板装置１００は、このプリンタドライバを実行することによって、当該電子黒板装置１００の表示内容を印刷装置２００に印刷させる動作等を実現できる。
【００３２】
Ｉ／Ｏ部１５０は、ネットワーク、ＵＳＢ（Ｕｎｉｖｅｒｓａｌ  Ｓｅｒｉａｌ  Ｂｕｓ）等を経由して外部装置との通信を行なう。本実施の形態では、Ｉ／Ｏ部１５０は、ネットワーク６０との接続を提供する。電子黒板装置１００は、このＩ／Ｏ部１５０を介して、印刷装置２００とデータの送受信を行なう。
【００３３】
タッチパネルディスプレイ１１０は、所定の表示面上に画像を表示する表示部１１２と、表示部１１２の表示面のどの位置がユーザによりタッチされたかを所定時間ごとに検出し、その位置の位置座標をＵＩ制御部１２０に対して出力する入力部１１４とを含む。入力部１１４は、タッチがあったことを検出し、検出があったことを示す信号を出力する機能と、そのときのタッチ位置を示す座標データを出力する機能とを持つ。
【００３４】
表示部１１２はフルカラー表示が可能な液晶表示パネルからなり、ＵＩ制御部１２０の制御の下で表示画上に画像を表示する。ＵＩ制御部１２０は、表示部１１２を駆動するための駆動部（図示せず。）を備え、画像データを所定のタイミングで読出し、表示部１１２に画像を表示させるための信号を表示部１１２に出力する。入力部１１４は、ユーザによるタッチ操作を検出する接触感知部（図示せず。）と、接触感知部を制御するマイクロコンピュータ（図示せず。）とを含む。
【００３５】
上述したように、電子黒板装置１００は種々のアプリケーションソフトを起動することが可能であり、起動したアプリケーションソフトに対応した機能を実現する。アプリケーションソフトは、ペン等による描画を実現するペンソフトを含む。
【００３６】
ペンソフトが起動されると、タッチパネルディスプレイ１１０（表示部１１２）には、ユーザによる描画が可能な描画領域を含む画面が表示される。描画領域には、ユーザがタッチ操作によって描画できる。タッチされた点のＸＹ座標が、入力部１１４により所定の周期ごとに検出され、ＵＩ制御部１２０に伝送される。ＵＩ制御部１２０（ＣＰＵ）は、受信した座標データに応じてＲＡＭに設けられた領域上の検出された位置に対応するメモリアドレスに所定値を書込む。
【００３７】
《印刷装置２００》
印刷装置２００は、ジョブ制御部２１０、データ解析部２２０、画像生成部２３０、メモリ管理部２４０、画像形成部２５０、トナー残量検出部２６０、操作部２７０、及びＩ／Ｏ部２８０を含む。
【００３８】
ジョブ制御部２１０は、印刷ジョブの受信から印刷完了までのジョブの管理を行なう。データ解析部２２０、画像生成部２３０、メモリ管理部２４０、画像形成部２５０、トナー残量検出部２６０、操作部２７０、及びＩ／Ｏ部２８０は、いずれもジョブ制御部２１０の制御の下に協調して動作し、印刷装置２００において、印刷モードに応じたプリント処理を実現する。
【００３９】
ジョブ制御部２１０は、実質的にコンピュータであって、いずれも図示しないＣＰＵ、ＲＯＭ、及びＲＡＭを含む。ＣＰＵは、操作部２７０等からの指示に応じて各種コンピュータプログラムを実行することによって、印刷装置２００の各部の動作及び電子黒板装置１００等の外部装置との通信等の所望の処理を実行する。上記の各種コンピュータプログラムは、予めＲＯＭ又はメモリ管理部２４０（記憶装置）に記憶されており、所望の処理の実行時において、当該ＲＯＭ又はメモリ管理部２４０から読出されてＲＡＭに転送される。ＣＰＵは、ＣＰＵ内の図示しないプログラムカウンタと呼ばれるレジスタに格納された値によって指定される、ＲＡＭ内のアドレスからプログラムの命令を読出し、解釈する。ＣＰＵはまた、読出された命令によって指定されるアドレスから演算に必要なデータを読出し、そのデータに対し命令に対応する演算を実行する。実行の結果も、ＲＡＭ、メモリ管理部２４０及びＣＰＵ内のレジスタ等の、命令によって指定されるアドレスに格納される。
【００４０】
データ解析部２２０は、印刷ジョブに含まれる印刷情報を解析し、例えば部数指定、用紙サイズ指定、給紙トレイ指定等の印刷に必要なデータの解析を行なう。画像生成部２３０は、印刷に使用する画像データを生成する。メモリ管理部２４０は、通電が遮断された場合にもデータを保持する不揮発性記憶装置であり、例えば、ハードディスクドライブ又はフラッシュメモリ等である。このメモリ管理部２４０は、画像データ、ジョブ情報等の印刷に必要な印刷データを記憶し、ワーク領域を含む記憶容量の管理を行なう。メモリ管理部２４０（記憶装置）には、印刷装置２００の一般的な動作等を実現するためのコンピュータプログラムも記憶される。
【００４１】
画像形成部２５０は、画像データによって示される画像を記録用紙に印刷するものであって、例えば、感光体ドラム、帯電装置、レーザスキャンユニット、現像装置、転写装置、クリーニング装置、定着装置、及び除電装置等を含むエンジン部２５２を備えている。画像形成部２５０はさらに、エンジン部２５２の駆動を制御するエンジン制御部２５４を含む。画像形成部２５０には、例えば、搬送路が設けられており、給紙部から給紙されてきた記録用紙が搬送路に沿って搬送される。給紙部は、給紙トレイに収納された記録用紙、又は手差トレイに載置された記録用紙を１枚ずつ引出して記録用紙を画像形成部２５０の搬送路へと送り出す。
【００４２】
画像形成部２５０の搬送路に沿って記録用紙が搬送されている途中で、記録用紙が感光体ドラムと転写装置との間を通過し、さらに定着装置を通過して、記録用紙に対する印刷が行なわれる。感光体ドラムは、一方向に回転し、その表面は、クリーニング装置と除電装置によりクリーニングされた後、帯電装置により均一に帯電される。レーザスキャンユニットは、印刷対象の画像データに基づいてレーザ光を変調し、このレーザ光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。
【００４３】
現像装置は、４つの現像装置を含む。４つの現像装置の各々は、ブラック（Ｋ）、シアン（Ｃ）、マゼンタ（Ｍ）及びイエロー（Ｙ）の各色相のトナーを収納しており、感光体ドラムに形成された各色相の静電潜像をトナー像に顕像化する。
【００４４】
転写装置は、転写装置と感光体ドラムとの間を通過していく記録用紙に感光体ドラムの表面のトナー像を転写する。定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。
【００４５】
トナー残量検出部２６０は、各色相のトナーの残量を検出する。トナー残量検出部２６０はさらに、トナー残量が所定の値以下であるか否かを判定することによって、トナー切れのトナーを検出する。上記所定の値は、トナー切れを検出可能な値とすることができる。
【００４６】
操作部２７０は、タッチパネルディスプレイからなる操作パネル２７２と、操作パネル２７２上の表示及び操作を制御するＵＩ制御部２７４とを含む。操作部２７０は、ユーザに対して対話的な操作インターフェイスを提供する。この対話的な操作インターフェイスは、操作パネル２７２から印刷装置２００全体の動作に対するユーザの指示を受付け、その指示の内容を操作パネル２７２に表示するとともに、その指示に応じた制御信号をジョブ制御部２１０に対して出力する。
【００４７】
Ｉ／Ｏ部２８０は、ネットワーク、ＵＳＢ（Ｕｎｉｖｅｒｓａｌ  Ｓｅｒｉａｌ  Ｂｕｓ）等を経由して外部装置との通信を行なう。本実施の形態では、Ｉ／Ｏ部２８０は、ネットワーク６０との接続を提供する。印刷装置２００は、このＩ／Ｏ部２８０を介して、電子黒板装置１００とデータの送受信を行なう。
【００４８】
［ソフトウェア構成］
図３を参照して、本実施の形態に係る印刷システム５０において、印刷装置２００で実行されるコンピュータプログラムの制御構造について説明する。このプログラムは、印刷装置２００に電源が投入されることによって起動される。
【００４９】
このプログラムは、電子黒板装置１００からの情報取得要求を受信したか否かを判定し、判定結果に応じて制御の流れを分岐させるステップＳ１０００と、ステップＳ１０００において、電子黒板装置１００からの情報取得要求を受信したと判定された場合に実行され、自機において設定可能な印刷モードに関する情報を、要求があった電子黒板装置１００に対して通知（送信）するステップＳ１０１０と、ステップＳ１０１０の後、及びステップＳ１０００において、電子黒板装置１００からの情報取得要求を受信していないと判定された場合に実行され、外部装置（電子黒板装置１００）から印刷要求がされたか否かを判定し、判定結果に応じて制御の流れを分岐させるステップＳ１０２０と、ステップＳ１０２０において、外部装置（電子黒板装置１００）から印刷要求がされたと判定された場合に実行され、印刷要求に基づく印刷処理を実行して制御をステップＳ１０００に戻すステップＳ１０３０とを含む。ステップＳ１０２０において、外部装置（電子黒板装置１００）から印刷要求がされていないと判定された場合は、制御はステップＳ１０００に戻る。設定可能な印刷モードに関する情報は、設定可能な印刷モードと、トナー残量検出部２６０による検出結果とを含む。そのため、ステップＳ１０１０では、設定可能な印刷モードと、トナー残量検出部２６０が検出したトナー有無等の状態を要求元の電子黒板装置１００に通知する。
【００５０】
図４を参照して、本実施の形態に係る印刷システム５０において、電子黒板装置１００で実行されるコンピュータプログラムの制御構造について説明する。このプログラムは、ペンソフトの起動によって起動される。
【００５１】
このプログラムは、印刷対象となる印刷装置２００に対して情報取得要求を送信するステップＳ２０００と、ステップＳ２０００の後に実行され、印刷装置２００から送信された情報を受信することによって、印刷装置２００において設定可能な印刷モードに関する情報を取得し、当該取得した情報に基づいて、設定可能な印刷モードの一覧を表示画面１０２に表示するステップＳ２０１０とを含む。
【００５２】
図５を参照して、電子黒板装置１００の表示画面１０２には、印刷装置２００で設定可能な印刷モードが一覧表示される。本実施の形態では、印刷装置２００において、モノクロ印刷モード、フルカラー印刷モード、２色印刷モード及び選択色印刷モードが設定可能であるため、表示画面１０２にはこれらの印刷モードを示す項目（フルカラー１６０、モノクロ１６２、選択色１６４及び２色１６６）が表示されている。印刷モードを示す各項目１６０〜１６６は、タッチ操作によって選択可能である。電子黒板装置１００は、表示された印刷モード（項目１６０〜１６６）の中の１つをユーザに選択させる。
【００５３】
再び図４を参照して、このプログラムはさらに、ステップＳ２０１０の後に実行され、ユーザに選択された印刷モードの詳細を表示するステップＳ２０２０と、ステップＳ２０２０の後に実行され、印刷モードの設定（印刷設定）を決定するステップＳ２０３０と、ステップＳ２０３０の後に実行され、色選択がされたか否かを判定し、判定結果に応じて制御の流れを分岐させるステップＳ２０４０と、ステップＳ２０４０において、色選択がされたと判定された場合に実行され、印刷モードを変更する必要があるか否かを判定し、判定結果に応じて制御の流れを分岐させるステップＳ２０５０と、ステップＳ２０５０において、印刷モードを変更する必要があると判定された場合に実行され、印刷モードを変更する必要があることをユーザに通知（警告）するメッセージを表示画面１０２に表示するステップＳ２０６０と、ステップＳ２０６０の後に実行され、ユーザの操作に基づいて、印刷モードを変更するか否かを判定し、判定結果に応じて制御の流れを分岐させるステップＳ２０７０とを含む。ステップＳ２０７０において、印刷モードを変更すると判定された場合は、制御はステップＳ２０３０に戻る。ステップＳ２０５０では、ユーザによって選択された色が、現在選択中の印刷モードにおいて使用可能な色か否かを判定する。
【００５４】
このプログラムはさらに、ステップＳ２０４０において色選択がされていないと判定された場合、ステップＳ２０５０において、印刷モードを変更する必要がないと判定された場合、及びステップＳ２０７０において、印刷モードを変更しないと判定された場合に実行され、電子黒板装置１００の表示に使用する色を決定するステップＳ２０８０と、ステップＳ２０８０の後に実行され、ユーザによる文字入力（手書き入力）を受付け、その入力処理を実行するステップＳ２０９０と、ステップＳ２０９０の後に実行され、ユーザによって印刷指示がされたか否かを判定し、判定結果に応じて制御の流れを分岐させるステップＳ２１００と、ステップＳ２１００において、ユーザによって印刷指示がされたと判定された場合に実行され、選択中の印刷モードで印刷データを生成し、印刷装置２００に対して印刷要求を行ない、制御をステップＳ２０３０に戻すステップＳ２１１０とを含む。ステップＳ２１００において、印刷指示がされていない場合も、制御はステップＳ２０３０に戻る。
【００５５】
［動作］
本実施の形態に係る印刷システム５０は以下のように動作する。以下の説明では、印刷システム５０の動作の内、本発明に関連する部分のみを説明する。他の動作は従来の印刷システムの動作と同様である。
【００５６】
〈従来の印刷システムの問題点〉
図８を参照して、本実施の形態に係る印刷システム５０の動作を説明する前に、従来の印刷システムにおいて、電子黒板装置に表示されている手書き画像の色とその画像を印刷した印刷物の色とが異なってしまう問題について説明する。
【００５７】
電子黒板装置の表示画面５００に手書き入力を行なう場合を考える。例えば、表示画面５００上で使用する色を選択する際、印刷装置で設定可能な印刷モードに関係なく全ての色を選択可能とした場合において、ユーザが、表示画面５００に黒の文字、並びに、赤及びシアンの線を記載していたとする。
【００５８】
電子黒板装置の表示内容を印刷するときに、ユーザは、プリンタドライバから選択色印刷モードを設定（選択）し、選択色として黒（Ｋ）及びマゼンタ（Ｍ）を指定（選択）したとする。このような印刷モードの設定で印刷を実行すると、黒とマゼンタのみで印刷が行なわれるため、図８の〈印刷結果（１）〉に示すように、黒及びマゼンタ以外のシアン（ＣＹＡＮ）で書かれた線が印刷されないという問題が生じる。さらに、ユーザが、プリンタドライバから２色印刷モードを設定（選択）し、特定色として緑（Ｇ）を指定（選択）したとする（他の１色は黒）。このような印刷モードの設定で印刷を実行すると、黒と緑の２色で印刷が行なわれるため、図８の〈印刷結果（２）〉に示すように、赤（ＲＥＤ）及びシアンで表示されている線の色が黒＋緑に置きかえられて印刷される。そのため、表示画面５００での表示の色と印刷結果の色とが大きく異なるという問題が生じる。
【００５９】
プリンタドライバからフルカラー印刷モードを設定すれば、印刷装置においてフルカラーで印刷が行なわれるため、期待する印刷結果が得られる。しかし、この場合はフルカラーのトナー使用量、及びフルカラーのカウンタ料金となる。そのため、トナー使用量の抑制及びカウンタ料金（課金料金）の低減が困難となる。
【００６０】
〈本実施の形態に係る印刷システム５０の動作〉
電子黒板装置１００においてペンソフトが起動すると、電子黒板装置１００は印刷装置２００に対して、情報取得要求を送信する（図４に示すステップＳ２０００）。印刷装置２００は、電子黒板装置１００からの情報取得要求の有無を確認する（図３に示すステップＳ１０００）。情報取得要求があれば（ステップＳ１０００においてＹＥＳ）、印刷装置２００は、設定可能な印刷モードに関する情報として、自機において設定可能な印刷モード、及び自機におけるトナー有無等の状態等を要求元の電子黒板装置１００に通知（送信）する（ステップＳ１０１０）。一方、情報取得要求がなければ（ステップＳ１０００においてＮＯ）、印刷装置２００は、通常通り、印刷要求を待つ（ステップＳ１０２０）。
【００６１】
電子黒板装置１００は、印刷装置２００から送信された、設定可能な印刷モードに関する情報を受信すると、受信した情報に基づいて、設定可能な印刷モードの一覧を表示画面１０２に選択可能に表示する（図４に示すステップＳ２０１０）。このとき、電子黒板装置１００は、トナー切れ等によって使用不可の色があると判定すると、その色を使用する印刷モードを選択不可とする。
【００６２】
図５を参照して、電子黒板装置１００は、設定可能な印刷モードの一覧を表示画面１０２に表示することによって、印刷モード（項目１６０〜１６６）の中の１つをユーザに選択させる。選択された印刷モードは、選択されている状態が分かるように表示態様が変更される。選択された印刷モードの表示態様は、選択されている状態が分かる態様であればよい。そうした表示態様としては、例えば、反転表示、表示色の変更、及び太字表示等が挙げられる。ユーザが所望の印刷モードを選択すると、電子黒板装置１００は、選択された印刷モードの詳細を表示画面１０２に表示する（図４に示すステップＳ２０２０）。具体的には、電子黒板装置１００は、選択された印刷モードの詳細としてカラーパレットを表示画面１０２に表示する。電子黒板装置１００は、カラーパレットを表示することによって、表示画面１０２に描画（手書き入力）する文字、線等の色をこのカラーパレットから選択できる状態にする。
【００６３】
例えば、ユーザが選択色印刷モード（項目１６４）を選択したとする。選択色印刷モードでは、例えば、Ｋ／Ｃ／Ｍ／Ｙ各３濃度のカラーパレット１７０が表示される。このカラーパレット１７０では、縦方向が上から順にＫ／Ｃ／Ｍ／Ｙとなっており、横方向が各色の濃度（紙面の左側に向かって濃度が薄くなる）となっている。ユーザはカラーパレット１７０の中から１〜３色の色を選択できる。さらに各色の濃淡が選択可能である。なお、カラーパレット１７０の濃度は３濃度以外であってもよい。カラーパレット１７０の所望の色をユーザが選択（タッチ）すると、選択した色で描画が可能となる。電子黒板装置１００は、ユーザによって印刷モードが選択されると、選択された印刷モードを印刷要求時の印刷モードとして設定する（ステップＳ２０３０）。さらに電子黒板装置１００は、ユーザがカラーパレットの中から描画色を選択すると、選択された色を、選択されている印刷モードで使用する色として指定する。図５には、選択色印刷モードが設定され、その印刷モードの選択色として黒（Ｋ）及びマゼンタ（Ｍ）が指定された例が示されている。
【００６４】
より詳細には、ユーザが、例えば選択色印刷モード（項目１６４）を選択し、カラーパレット１７０のマゼンタ（Ｍ）を選択すると、電子黒板装置１００は、印刷設定（印刷モード）を決定する（ステップＳ２０３０）。電子黒板装置１００は、表示画面１０２に描画（手書き入力）する文字、線等の色を決定（ここでは、マゼンタ（Ｍ）に決定）する（ステップＳ２０８０）。ユーザが表示画面１０２に描画（手書き入力）を行なうと、電子黒板装置１００は、決定した色（マゼンタ（Ｍ））で手書き入力処理を実行する（ステップＳ２０９０）。続いて、ユーザはカラーパレット１７０の黒（Ｋ）を選択（設定）したとする（ステップＳ２０４０においてＹＥＳ）。
【００６５】
ここで、カラーパレットから色が選択された後に、再度、色が選択された場合（ステップＳ２０４０においてＹＥＳ）、電子黒板装置１００は、選択された色が現在選択されている印刷モードで使用可能か否か、すなわち、選択された色を使用するために印刷モードを変更する必要があるか否かを判定する（ステップＳ２０５０）。印刷モードを変更する必要がない場合は（ステップＳ２０５０においてＮＯ）、印刷モードは変更されない。この場合は、現在選択されている印刷モードにおいて、選択された色が表示画面１０２に描画（手書き入力）する文字、線等の色として決定される（ステップＳ２０８０）。選択色印刷モードでは、カラーパレット１７０の中から１〜３色の色を選択することが可能であるため、選択色印刷モードの２色目の色として黒を選択することが可能である。そのため、印刷モードの変更は不要となる（ステップＳ２０５０においてＮＯ）。ユーザが表示画面１０２に描画（手書き入力）を行なった場合、電子黒板装置１００は、決定した色（黒（Ｋ））で手書き入力処理を実行する（ステップＳ２０９０）。
【００６６】
ユーザによって印刷指示がされると（ステップＳ２１００においてＹＥＳ）、電子黒板装置１００は、印刷装置２００に対して印刷要求を送信する（ステップＳ２１１０）。このとき、電子黒板装置１００は、ユーザによって選択された印刷モードで印刷処理を行なうよう印刷要求を行なう。印刷装置２００は、電子黒板装置１００から送信された印刷要求を受信すると（図３に示すステップＳ１０２０においてＹＥＳ）、受信した印刷要求に基づいて印刷処理を実行する（ステップＳ１０３０）。
【００６７】
図５の例では、電子黒板装置１００は、選択色印刷モード（黒（Ｋ）、マゼンタ（Ｍ）を指定）で印刷処理を行なうよう、印刷装置２００に対して印刷要求を送信する。印刷装置２００は、電子黒板装置１００からの印刷要求を受信すると、黒とマゼンタのみで印刷を行なう。このため、図５の〈印刷結果〉に示すように、電子黒板装置１００においてマゼンタで手書き入力された線、文字等は、マゼンタで印刷される。したがって、電子黒板装置１００の表示と印刷結果（印刷物）との色の違いが最小限に抑えられる。
【００６８】
次に、ユーザが２色印刷モード（項目１６６）を選択した場合について説明する。図６を参照して、２色印刷モードでは、例えば、Ｒ／Ｇ／Ｂ／Ｃ／Ｍ／Ｙのカラーパレット１８０が表示される。このカラーパレット１８０では、上から順にＲ／Ｇ／Ｂ／Ｃ／Ｍ／Ｙとなっている。電子黒板装置１００は、カラーパレット１８０内の１色がユーザによって選択されると、選択された色の濃淡をさらに選択するためのパレット１８２を表示する。カラーパレット１８０の所望の色をユーザが選択（タッチ）すると、選択した色で描画が可能となる。なお、本実施の形態では、２色印刷モードの１色はデフォルトで黒が指定されている。黒で描画を行なう場合は、所定の操作によって黒を選択する。図６には、２色印刷モードが設定され、その印刷モードの選択色として緑（Ｇ）が指定された例が示されている。
【００６９】
ユーザによって印刷指示がされると（ステップＳ２１００においてＹＥＳ）、電子黒板装置１００は、印刷装置２００に対して印刷要求を送信する（ステップＳ２１１０）。印刷装置２００は、電子黒板装置１００から送信された印刷要求を受信すると（図３に示すステップＳ１０２０においてＹＥＳ）、受信した印刷要求に基づいて印刷処理を実行する（ステップＳ１０３０）。
【００７０】
図６の例では、電子黒板装置１００は、２色印刷モード（緑（Ｇ）を指定）で印刷処理を行なうよう、印刷装置２００に対して印刷要求を送信する。印刷装置２００は、電子黒板装置１００からの印刷要求を受信すると、黒と緑で印刷を行なう。このため、図６の〈印刷結果〉に示すように、電子黒板装置１００において黒（ＢＬＡＣＫ）及び緑（ＧＲＥＥＮ）で手書き入力された線、文字等は、それぞれ、黒及び緑で印刷される。したがって、この場合も、電子黒板装置１００の表示と印刷結果（印刷物）との色の違いが最小限に抑えられる。
【００７１】
電子黒板装置１００は、選択された印刷モードにおいて使用可能（印刷可能）な色以外の色を表示画面１０２の表示に使用する色として選択するユーザの操作を受付けることが可能である。そのため、例えば、カラーパレットから色が選択された後に、再度、色が選択された場合（ステップＳ２０４０）であって、選択された色が現在選択されている印刷モードで使用できない色である場合がある。このようなユーザの操作を受付けると、電子黒板装置１００は、現在選択されている印刷モードでは選択された色が使用できないことを示すメッセージ（警告）を表示画面１０２に表示して（ステップＳ２０６０）、印刷モードを変更するか否かをユーザに問合わせる。
【００７２】
図７を参照して、例えば、図６に示したように２色印刷モード（緑（Ｇ）を指定）が選択された状態で、ユーザが、次の文字入力の際にカラーパレット１８０から青（Ｂ）を選択（指定）したとする。この場合、既に緑及び黒の２色が使用中であるため、２色印刷モードのままでは青を使用することができない。このように、選択された印刷モードで使用可能な色以外の色をユーザが電子黒板装置１００の表示色に選択した場合、電子黒板装置１００は、表示画面１０２にメッセージ画面１９０を表示して以降の操作をユーザに選択させる。すなわち、電子黒板装置１００は、再度、印刷モードをユーザに選択させる。
【００７３】
メッセージ画面１９０は、選択された印刷モードでは表示の色と同じ印刷結果が得られないことをユーザに警告する「フルカラー印刷に変更します」とのテキスト、「ＯＫ」キー１９２、及び「ＣＡＮＣＥＬ」キー１９４を含む。ユーザが「ＯＫ」キー１９２を操作すると、電子黒板装置１００は、印刷モードをフルカラー印刷モードに設定（再設定）し、電子黒板装置１００（表示画面１０２）の表示に任意の色を選択可能とする。図７の例では、選択された青が表示色として設定される。一方、ユーザが「ＣＡＮＣＥＬ」キー１９４を操作すると、電子黒板装置１００は、２色印刷モード（緑（Ｇ）を指定）を継続する。このように、選択された印刷モードにおいて印刷可能な色以外の色を使用するよう設定された場合に、メッセージ画面１９０を表示することによって、意図しない印刷モードの変更を防止できる。
【００７４】
［作用・効果］
以上の説明から明らかなように、本実施の形態に係る印刷システム５０を利用することにより、以下に述べる作用・効果を奏する。
【００７５】
電子黒板装置１００は、印刷装置２００で設定可能な印刷モードに関する情報を取得すると、取得した情報に基づいて、印刷装置２００で設定可能な印刷モードを表示画面１０２に表示する。電子黒板装置１００はさらに、表示画面１０２に表示された印刷モードをユーザに選択させる。ユーザは、印刷モードを容易に指定（選択）できる。印刷モードが選択されると、電子黒板装置１００は、選択された印刷モードにおいて印刷可能な色を表示画面１０２の表示に使用するよう設定する。表示画面１０２には、ユーザが指定した印刷モードにおいて印刷可能な色で画像が表示されるため、電子黒板装置１００に表示されている画像を印刷した場合に、電子黒板装置１００の表示と印刷結果（印刷物）との色の違いを最小限に抑えることができる。
【００７６】
さらに電子黒板装置１００は、２色印刷モード及び選択色印刷モードのような特定色印刷モードを容易に設定することが可能であるため、このような特定色印刷モードを設定することによって、電子黒板装置１００の表示と印刷結果（印刷物）との色の違いを最小限に抑えながら、トナー使用量の抑制及びカウンタ料金（課金料金）の低減を容易に図ることができる。
【００７７】
（第２の実施の形態）
第２の実施の形態に係る印刷システムは、第１の実施の形態と同様、電子黒板装置及び印刷装置を含む。電子黒板装置は、当該電子黒板装置が使用するプリンタドライバの情報から、そのプリンタドライバに対応する印刷装置において設定可能な印刷モードに関する情報を取得する。すなわち、第２の実施の形態では、電子黒板装置は、自機に記憶されているプリンタドライバの情報に基づいて、印刷装置において設定可能な印刷モードを判別し、判別した印刷モードを表示画面に表示する。
【００７８】
第２の実施の形態に係る印刷システムのその他の構成は、第１の実施の形態と同様である。
【００７９】
（第３の実施の形態）
第３の実施の形態に係る印刷システムは、第１の実施の形態と同様、電子黒板装置及び印刷装置を含む。上記実施の形態では、２色印刷モードにおいて、特定の２色のトナーの１色をデフォルトで黒に指定した例について示したが、本実施の形態では、２色印刷で使用する特定色を任意に選択する。この点において、本実施の形態は上記実施の形態とは異なる。
【００８０】
（第４の実施の形態）
第４の実施の形態に係る印刷システムは、第１の実施の形態と同様、電子黒板装置及び印刷装置を含む。上記実施の形態では、電子黒板装置において、トナー切れ等によって使用不可の色があると判定された場合、その色を使用する印刷モードを選択不可とする例について示したが、本実施の形態では、例えば、トナー切れ等によって使用不可の色があると判定された場合、使用不可の色、及びその色を用いて生成する色を選択不可とする。この点において、本実施の形態は上記実施の形態とは異なる。
【００８１】
（変形例）
上記実施の形態では、表示装置の一例である電子黒板装置に本発明を適用した例について示したが、本発明はそのような実施の形態には限定されない。手書き入力等のタッチ操作を行なうことが可能な表示装置であれば、電子黒板装置以外の表示装置に本発明を適用してもよい。
【００８２】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００８３】
５０                          印刷システム
１００                        電子黒板装置
１０２                        表示画面
１１０                        タッチパネルディスプレイ
１２０                        ＵＩ制御部
１３０                        印刷制御部
１４０、２４０                メモリ管理部
１５０、２８０                Ｉ／Ｏ部
１７０、１８０                カラーパレット
１９０                        メッセージ画面
２００                        印刷装置
２１０                        ジョブ制御部
２２０                        データ解析部
２３０                        画像生成部
２５０                        画像形成部
２６０                        トナー残量検出部
【図１】
2015029175.tif 000003
【図２】
2015029175.tif 000004
【図３】
2015029175.tif 000005
【図４】
2015029175.tif 000006
【図５】
2015029175.tif 000007
【図６】
2015029175.tif 000008
【図７】
2015029175.tif 000009
【図８】
2015029175.tif 000010